(57)【要約】【課題】  簡単な操作で出費金額を集計することができる画像読取装置及びデータ処理システムを提供する。【解決手段】  携帯電話の画像読取装置によって読み取られた原稿上の画像のデータが（Ｋ１）、データ送受信部からサーバに送信され（Ｋ２）、この画像データがサーバ側の通信部によって受信されると（ＳＶ１）、この画像データがデータ変換部で文字データに変換され（ＳＶ２）、変換後の文字データに含まれる数字データが集計部に集計される（ＳＶ３）。よって、例えば、上記原稿を店舗等で受け取ったレシートとし、このレシートに印字されている金額部分を携帯電話の画像読取装置に読み取らせると、この金額部分の画像がサーバに送られ、サーバにおいて、この画像データが文字データに変換されて、この文字データに含まれる数字データが集計される。【選択図】      図２
2005150957.tif 000002
【特許請求の範囲】
【請求項１】
原稿上の画像を読み取る画像読取手段と、この画像読取手段によって読み取られた画像のデータをデータ送信手段によってネットワーク上のコンピュータに送信するデータ送信手段とを備えた画像読取装置と、
前記画像読取装置のデータ送信手段から画像データを受信する通信手段と、通信手段によって受信された画像データを文字データに変換するデータ変換手段と、データ変換手段によって変換された文字データに含まれる数字データを集計する集計手段とを備えたコンピュータと
からなることを特徴とするデータ処理システム。
【請求項２】
前記画像読取装置の画像読取手段は第１及び第２の画像読取位置を定めており、前記データ送信手段は、第１及び第２画像読取位置で読み取られた画像のデータを別個に前記コンピュータに送信し、
前記コンピュータは、前記通信手段が前記画像読取装置のデータ送信手段から受信した第２画像読取位置の画像のデータが、予め登録されている複数の画像のデータの中でいずれに一致するかを判別する画像判別手段とを備えると共に、前記データ変換手段は、前記通信手段によって前記画像読取装置のデータ送信手段から受信された第１画像読取位置の画像データを文字データに変換し、前記集計手段は、前記画像判別手段によって判別された画像別に、前記データ変換手段によって変換された数字データを集計することを特徴とする請求項１に記載のデータ処理システム。
【請求項３】
前記コンピュータの通信手段は、前記データ変換手段によって変換された文字データに、予め登録されている所定の文字又は記号に対応するデータが含まれていない場合、前記画像読取装置に対してエラーメッセージを送信することを特徴とする請求項１に記載のデータ処理システム。
【請求項４】
前記画像読取装置は、前記コンピュータの通信手段から受信したエラーメッセージに対応して、外部操作による文字データの入力を受け付ける文字データ入力手段を備えていることを特徴とする請求項３に記載のデータ処理システム。
【請求項５】
前記コンピュータの画像判別手段は、前記通信手段が前記画像読取装置のデータ送信手段から受信した第２画像読取位置の画像のデータが、前記予め登録されている複数の画像のデータのいずれにも一致しないと判別した場合に、この画像データを判別対象として新規登録することを特徴とする請求項２に記載のデータ処理システム。
【請求項６】
前記画像読取装置は、前記画像読取手段による画像読取が実行された日時を記憶する日時記憶手段を備え、前記データ送信手段は、前記画像読取手段によって読み取られた画像のデータと共に、日時記憶手段に記憶されている日時データを前記コンピュータに送信し、
前記コンピュータの集計手段は、前記通信手段が前記画像読取装置から受信した日時データが示す日時別に、前記データ変換手段によって変換された数字データを集計することを特徴とする請求項１乃至請求項５のいずれかに記載のデータ処理システム。
【請求項７】
前記コンピュータの集計手段は、前記データ変換手段によって変換された文字データに所定の記号が含まれるか否かを判断し、所定の記号が含まれる場合には、この記号に続く数字データを集計することを特徴とする請求項１乃至請求項６のいずれかに記載のデータ処理システム。
【請求項８】
原稿上の画像を読み取る画像読取手段と、
前記画像読取手段によって読み取られた画像を文字データに変換するデータ変換手段と、
前記データ変換手段によって変換された文字データに含まれる数字データを集計する集計手段と
を備えたことを特徴とする画像読取装置。
【請求項９】
前記データ変換手段によるデータ変換が実行された日時を記憶する日時記憶手段を備え、
前記集計手段は、前記日時記憶手段によって記憶された日時別に、前記データ変換手段によって変換された文字データに含まれる数字データを集計することを特徴とする請求項８に記載の画像読取装置。
【請求項１０】
前記集計手段は、前記データ変換手段によって変換された文字データに、所定の記号が含まれるかを判断し、所定の記号が含まれる場合には、この記号に続く数字データを集計することを特徴とする請求項８又は請求項９に記載の画像読取装置。
【請求項１１】
前記画像読取手段は第１及び第２の画像読取位置を備え、この画像読取手段によって読み取られた第２画像読取位置の画像のデータが、予め登録されている複数の画像のデータの中でいずれに一致するかを判別する画像判別手段を更に備え、
前記データ変換手段は、前記画像読取手段によって読み取られた第１画像読取位置の画像データを文字データに変換し、前記集計手段は、前記画像判別手段によって判別された画像別に、前記データ変換手段によって変換された数字データを集計することを特徴とする請求項１０に記載の画像読取装置。
【請求項１２】
前記画像判別手段は、前記画像読取手段によって読み取られた第２画像読取位置の画像のデータが、前記予め登録されている複数の画像のデータのいずれにも一致しないと判別した場合、この画像データを判別対象として新規登録することを特徴とする請求項１１に記載の画像読取装置。
【発明の詳細な説明】
【技術分野】
【０００１】
本発明は、画像読取手段によって読み取った画像を文字データに変換し、この変換した文字データに含まれる数字データを集計する画像読取装置及びデータ処理システムに関するものである。
【背景技術】
【０００２】
従来、生活費等の出費額を集計する場合、店舗で買い物後に受け取るレシートに印字された金額を読み取って手動でコンピュータに入力するか、電卓を使用して計算した金額を帳面等に書き込んで家計簿を作成することが行われていた。また、今日では、専用の携帯電話を使用すれば、店舗に設置されているレジスタから携帯電話に出費金額のデータが自動的に入力されるシステムも提案されている。なお、書面に印字された画像を光学的に読み取って、読み取った画像を加工して保存できる画像形成装置としては、特許文献１に示されるものがある。
【特許文献１】特開２００２−２７１６０５号公報
【発明の開示】
【発明が解決しようとする課題】
【０００３】
しかし、上記のように、店舗で買物後に受け取るレシートに印字された金額を読み取って手動でコンピュータに入力する場合や、電卓を使用して計算した金額を帳面等に書き込んで家計簿を作成する場合は、コンピュータへのデータ入力作業や、計算及び帳面書き込み作業が面倒である。また、店舗のレジスタから携帯電話に出費金額が自動的に入力されるシステムは、このシステムが利用できる店舗で買物をしない限り利用することができない。さらに、上記特許文献１に示される画像形成装置では、出費額の集計をすることは不可能である。
【０００４】
本発明は、上記問題を解決するためになされたもので、簡単な操作で出費金額を集計することができる画像読取装置及びデータ処理システムを提供することを目的とするものである。
【課題を解決するための手段】
【０００５】
本発明の請求項１に記載の発明は、原稿上の画像を読み取る画像読取手段と、この画像読取手段によって読み取られた画像のデータをデータ送信手段によってネットワーク上のコンピュータに送信するデータ送信手段とを備えた画像読取装置と、
前記画像読取装置のデータ送信手段から画像データを受信する通信手段と、通信手段によって受信された画像データを文字データに変換するデータ変換手段と、データ変換手段によって変換された文字データに含まれる数字データを集計する集計手段とを備えたコンピュータと
からなるものである。
【０００６】
この構成では、画像読取装置の画像読取手段によって読み取られた原稿上の画像のデータが、データ送信手段によってネットワーク上のコンピュータに送信され、この画像データがコンピュータ側の通信手段によって受信されると、この画像データがデータ変換手段によって文字データに変換され、変換後の文字データに含まれる数字データが集計手段によって集計される。よって、例えば、上記原稿を店舗等で受け取ったレシートとし、このレシートに印字されている金額部分を画像読取手段に読み取らせると、この金額部分の画像がコンピュータに送られ、コンピュータにおいて、この画像データが文字データに変換されて数字データが集計される。
【０００７】
また、請求項２に記載の発明は、請求項１に記載のデータ処理システムであって、前記画像読取装置の画像読取手段は第１及び第２の画像読取位置を定めており、前記データ送信手段は、第１及び第２画像読取位置で読み取られた画像のデータを別個に前記コンピュータに送信し、
前記コンピュータは、前記通信手段が前記画像読取装置のデータ送信手段から受信した第２画像読取位置の画像のデータが、予め登録されている複数の画像のデータの中でいずれに一致するかを判別する画像判別手段とを備えると共に、前記データ変換手段は、前記通信手段によって前記画像読取装置のデータ送信手段から受信された第１画像読取位置の画像データを文字データに変換し、前記集計手段は、前記画像判別手段によって判別された画像別に、前記データ変換手段によって変換された数字データを集計するものである。
【０００８】
この構成では、画像読取装置の画像読取手段の第１画像読取位置で読み取られた画像のデータが、コンピュータのデータ変換手段によってデータ変換されて集計手段による集計の対象となると共に、画像読取手段の第２画像読取位置で読み取られた画像のデータが、コンピュータの画像判別手段によって、予め登録されている複数の画像のデータのいずれかに一致すると判別されると、この画像別に数字データが集計手段によって集計されるようになっている。よって、第２画像読取位置で、レシートに記載されている店舗や法人の識別標識が読み取られるようにすれば、店舗毎や法人毎に数字データ（出費金額）が集計される。
【０００９】
また、請求項３に記載の発明は、請求項１に記載のデータ処理システムであって、前記コンピュータの通信手段は、前記データ変換手段によって変換された文字データに、予め登録されている所定の文字又は記号に対応するデータが含まれていない場合、前記画像読取装置に対してエラーメッセージを送信するものである。
【００１０】
この構成では、画像読取装置のデータ送信手段からコンピュータ側に、画像読取手段で読み取った画像のデータを送信した後、この画像データがデータ変換手段によって変換された後の文字データに、予め登録されている所定の文字又は記号に対応するデータが含まれていない場合は、通信手段から画像読取装置に対してエラーメッセージが送信されるようになっている。よって、例えば、上記所定の文字又は記号として、「合計」「円」「￥」等を登録しておくことにより、金額を示さない画像データ（「合計」「円」「￥」等の文字又は記号が含まれていない画像データ）が画像読取装置から送られてきた場合に、コンピュータにおいて、この数字データを集計してしまうことを防止することができ、ユーザに対して、集計エラーを認識させることも可能になる。
【００１１】
また、請求項４に記載の発明は、請求項３に記載のデータ処理システムであって、前記画像読取装置は、前記コンピュータの通信手段から受信したエラーメッセージに対応して、外部操作による文字データの入力を受け付ける文字データ入力手段を備えているものである。
【００１２】
この構成では、画像読取装置に、コンピュータの通信手段からエラーメッセージが送られてきた場合に、文字データ入力手段から外部操作によって文字データを入力できるようになっている。
【００１３】
また、請求項５に記載の発明は、請求項２に記載のデータ処理システムであって、前記コンピュータの画像判別手段は、前記通信手段が前記画像読取装置のデータ送信手段から受信した第２画像読取位置の画像のデータが、前記予め登録されている複数の画像のデータのいずれにも一致しないと判別した場合に、この画像データを判別対象として新規登録するものである。
【００１４】
この構成では、コンピュータにおいて、画像判別手段によって第２画像読取位置の画像のデータが、予め登録されている複数の画像のデータのいずれにも一致しないと判別されると、この画像データが画像判別手段に判別対象として新規登録されるようになっている。
【００１５】
また、請求項６に記載の発明は、請求項１乃至請求項５のいずれかに記載のデータ処理システムであって、前記画像読取装置は、前記画像読取手段による画像読取が実行された日時を記憶する日時記憶手段を備え、前記データ送信手段は、前記画像読取手段によって読み取られた画像のデータと共に、日時記憶手段に記憶されている日時データを前記コンピュータに送信し、
前記コンピュータの集計手段は、前記通信手段が前記画像読取装置から受信した日時データが示す日時別に、前記データ変換手段によって変換された数字データを集計するものである。
【００１６】
この構成によれば、コンピュータにおいて、通信手段が、画像読取装置のデータ送信手段から、画像読取手段によって読み取られた画像のデータと共に、日時記憶手段に記憶されている日時データを受信すると、この画像データがデータ変換手段によって変換された後、変換により得られた数字データが、上記日時データが示す日時別に集計手段に集計されるようになっている。
【００１７】
また、請求項７に記載の発明は、請求項１乃至請求項６のいずれかに記載のデータ処理システムであって、前記コンピュータの集計手段は、前記データ変換手段によって変換された文字データに所定の記号が含まれるか否かを判断し、所定の記号が含まれる場合には、この記号に続く数字データを集計するものである。
【００１８】
この構成では、コンピュータにおいて、データ変換手段によって変換された文字データに所定の記号が含まれる場合には、この記号に続く文字データが数字データとして集計手段に集計されるようになっている。
【００１９】
また、請求項８に記載の発明は、原稿上の画像を読み取る画像読取手段と、
前記画像読取手段によって読み取られた画像を文字データに変換するデータ変換手段と、
前記データ変換手段によって変換された文字データに含まれる数字データを集計する集計手段と
を備えたことを特徴とする画像読取装置である。
【００２０】
この構成では、画像読取手段によって読み取られた原稿上の画像のデータが、データ変換手段によって文字データに変換され、この文字データに含まれる数字データが、集計手段で集計される。このため、例えば、上記原稿を店舗等で受け取ったレシートとし、このレシートに印字されている金額部分を画像読取手段に読み取らせると、この画像データが文字データに変換されて数字データが集計される。
【００２１】
また、請求項９に記載の発明は、請求項８に記載の画像読取装置であって、前記データ変換手段によるデータ変換が実行された日時を記憶する日時記憶手段を備え、
前記集計手段は、前記日時記憶手段によって記憶された日時別に、前記データ変換手段によって変換された文字データに含まれる数字データを集計するものである。
【００２２】
この構成では、画像読取手段によって読み取られた画像のデータがデータ変換手段によって変換された後、変換により得られた数字データが、日時データが示す日時別に集計手段に集計されるようになっている。
【００２３】
また、請求項１０に記載の発明は、請求項８又は請求項９に記載の画像読取装置であって、前記集計手段は、前記データ変換手段によって変換された文字データに、所定の記号が含まれるかを判断し、所定の記号が含まれる場合には、この記号に続く数字データを集計するものである。
【００２４】
この構成では、集計手段が、データ変換手段によって変換された文字データに所定の記号が含まれる場合に、この記号に続く数字データを集計するようになっている。
【００２５】
また、請求項１１に記載の発明は、請求項１０に記載の画像読取装置であって、前記画像読取手段は第１及び第２の画像読取位置を備え、この画像読取手段によって読み取られた第２画像読取位置の画像のデータが、予め登録されている複数の画像のデータの中でいずれに一致するかを判別する画像判別手段を更に備え、
前記データ変換手段は、前記画像読取手段によって読み取られた第１画像読取位置の画像データを文字データに変換し、前記集計手段は、前記画像判別手段によって判別された画像別に、前記データ変換手段によって変換された数字データを集計するものである。
【００２６】
この構成では、画像読取手段の第１画像読取位置で読み取られた画像のデータが、データ変換手段によってデータ変換されて集計手段による集計の対象となると共に、画像読取手段の第２画像読取位置で読み取られた画像のデータが、コンピュータの画像判別手段によって予め登録されている複数の画像のデータのいずれかに一致すると判別されると、この画像別に数字データが集計手段によって集計されるようになっている。よって、第２画像読取位置で、レシートに記載されている店舗や法人の識別標識が読み取られるようにすれば、店舗毎や法人毎に数字データ（出費金額）が集計される。
【００２７】
また、請求項１２に記載の発明は、請求項１１に記載の画像読取装置であって、前記画像判別手段は、前記画像読取手段によって読み取られた第２画像読取位置の画像のデータが、前記予め登録されている複数の画像のデータのいずれにも一致しないと判別した場合、この画像データを判別対象として新規登録するものである。
【００２８】
この構成では、画像判別手段によって第２画像読取位置の画像のデータが、予め登録されている複数の画像のデータのいずれにも一致しないと判別されると、この画像データが画像判別手段に判別対象として新規登録されるようになっている。
【発明の効果】
【００２９】
請求項１に記載の発明によれば、例えば、上記原稿を店舗等で受け取ったレシートとし、このレシートに印字されている金額部分を画像読取手段に読み取らせると、この金額部分の画像がコンピュータに送られ、コンピュータにおいて、この画像データが文字データに変換され、この文字データに含まれる数字データが集計されるので、コンピュータへのデータ入力作業や、計算及び帳面書き込み作業を行うことなく、簡単な操作で出費金額を集計することができる。また、特定の店舗に限定されることなく、如何なる店舗等で買い物をした場合であっても、その店舗で受け取ったレシートを読み込ませて出費金額を集計することが可能になる。
【００３０】
請求項２に記載の発明によれば、画像読取装置の画像読取手段の第２画像読取位置で、レシートに記載されている店舗や法人の識別標識等が読み取られるようにすれば、法人毎に数字データ（出費金額）を集計することができるので、購入先別に出費金額を集計したい場合における操作が簡単になる。
【００３１】
請求項３に記載の発明によれば、上記所定の文字又は記号として、「合計」「円」「￥」等を登録しておくことにより、金額を示さない画像データが画像読取装置からコンピュータに送られてきても、コンピュータにおいて、この数字データを集計してしまうことを防止することができ、ユーザに対して、集計エラーを認識させることも可能になるので、画像読取手段による画像読取ミスを防止して、集計結果の正確性を高めることができる。
【００３２】
請求項４に記載の発明によれば、画像読取装置に、コンピュータの通信手段からエラーメッセージが送られてきた場合に、文字データ入力手段から外部操作によって文字データを入力できるので、画像読取手段による画像読取ミスがあった場合等に、ユーザが所望の数値等を手動で入力することができる。
【００３３】
請求項５に記載の発明によれば、第２画像読取位置の画像のデータが、予め登録されている複数の画像のデータのいずれにも一致しないときは、この画像データが判別対象として新規登録されるので、予め登録されていない画像を第２画像読取位置で読み取らせた場合であっても、予め登録されている他の画像に付随する数字データとは区別して、当該画像に付随する数字データを集計することができると共に、この読み込んだ画像をユーザが新たに登録させる操作を行う手間が省ける。
【００３４】
請求項６に記載の発明によれば、データ変換手段によって変換された数字データが、日時別に集計されるので、ユーザは、日時別に出費を集計する場合であっても、特別な操作を要することがない。
【００３５】
請求項７に記載の発明によれば、データ変換手段によって変換された文字データに所定の記号が含まれる場合に、この記号に続く数字データが抽出されて集計されるので、この所定の記号として、「合計」「円」「￥」等を登録しておくことにより、レシート等に金額として記載されている数字を的確に抽出して集計することができる。
【００３６】
請求項８に記載の発明によれば、例えば、上記原稿を店舗等で受け取ったレシートとし、このレシートに印字されている金額部分を画像読取手段に読み取らせると、この画像データが文字データに変換され、そのうちの数字データが集計されるので、コンピュータへのデータ入力作業や、計算及び帳面書き込み作業を行うことなく、簡単な操作で出費金額を集計することができる。また、特定の店舗に限定されることなく、如何なる店舗等で買い物をした場合であっても、その店舗で受け取ったレシートを読み込ませて出費金額を集計することが可能になる。
【００３７】
請求項９に記載の発明によれば、データ変換手段によって変換された数字データが、日時別に集計されるので、ユーザは、日時別に出費を集計する場合であっても、特別な操作を要することがない。
【００３８】
請求項１０に記載の発明によれば、データ変換手段によって変換された文字データに所定の記号が含まれる場合に、この記号に続く数字データが抽出されて集計されるので、この所定の記号として、「合計」「円」「￥」等を登録しておくことにより、レシート等に金額として記載されている数字を的確に抽出して集計することができる。
【００３９】
請求項１１に記載の発明によれば、画像読取装置の画像読取手段の第２画像読取位置で、レシートに記載されている法人識別標識等が読み取られるようにすれば、法人毎に数字データ（出費金額）を集計することができるので、購入先別に出費金額を集計したい場合における操作が簡単になる。
【００４０】
請求項１２に記載の発明によれば、第２画像読取位置の画像のデータが、予め登録されている複数の画像のデータのいずれにも一致しないときは、この画像データが判別対象として新規登録されるので、予め登録されていない画像を第２画像読取位置で読み取らせた場合であっても、予め登録されている他の画像に付随する数字データとは区別して、当該画像に付随する数字データを集計することができると共に、この読み込んだ画像をユーザが新たに登録させる操作を行う手間が省ける。
【発明を実施するための最良の形態】
【００４１】
（第１実施形態）
以下、本発明の一実施形態に係るデータ処理システム及び画像読取装置について図面を参照して説明する。図１は本発明に係るデータ処理システムの概略構成を示すブロック図である。本発明に係るデータ処理システム１は、携帯電話（請求項でいう画像読取装置の一例）２と、パーソナルコンピュータ等からなるサーバ（請求項でいうコンピュータの一例）３とで構成される。
【００４２】
携帯電話２は、ＣＣＤ等を有する小型撮像装置等からなる画像読取部（画像読取手段）２１と、制御ユニット２２と、各種の動作プログラムが記憶されているＲＯＭ２３と、制御ユニット２２の動作領域等として使用されるＲＡＭ２４と、ユーザによる手動操作で外部からの指示入力を受け付ける操作部（文字データ入力手段）２５と、サーバ３等との各種データ送受信を行うためのインタフェイスとして機能する通信Ｉ／Ｆ２６と、ＬＣＤ（liquid crystal display）等からなり、ユーザに対する操作案内メッセージや、画像読取部２１によって読み取られた画像等を表示する表示部２７と、公衆電話回線を利用した電話通信に必要な各種処理を実行する電話通信部２８とを備える。
【００４３】
画像読取部２１は、第１及び第２の画像読取位置を定めており、制御部２２３の制御によって、第１及び第２画像読取位置で読み取られた画像のデータは各々別個にデータ送受信部２２１からサーバ３に送信されるようになっている。また、表示部２７には、制御部２２３の制御により、サーバ３から受信したエラーメッセージ（後述）等が表示される。
【００４４】
制御ユニット２２は、データ送受信部（データ送信手段）２２１、日時記憶部（日時記憶手段）２２２及び制御部２２３を備えている。
【００４５】
データ送受信部２２１は、各種データをネットワーク上のコンピュータとの間で送受信するために必要な各処理を行うものであり、画像読取部２１によって読み取られた画像のデータを通信Ｉ／Ｆ２６を介してサーバ３に送信し、また、画像読取部２１によって読み取られた画像のデータと共に、日時記憶部２２２に記憶されている日時データをデータ送受信部２２１から通信Ｉ／Ｆ２６を介してサーバ３に送信する。日時記憶部２２２は、画像読取部２１による画像読取が実行された日時を記憶する。制御部２２３は、携帯電話２各部の動作を制御するものである。
【００４６】
なお、制御ユニット２２は、データ送受信部２２１、日時記憶部２２２及び制御部２２３のそれぞれが個別に回路等で構成されていてもよいし、また、ＲＯＭ２３等に記憶されている動作プログラムに従って、ＣＰＵがデータ送受信部２２１、日時記憶部２２２及び制御部２２３として動作する構成としてもよい。また、通信Ｉ／Ｆ２６は、USB（universal serial bus）やBluetooth（登録商標）等、サーバ３との間でデータ通信が可能なインタフェイスの全てを含むものとする。
【００４７】
サーバ３は、制御ユニット３１と、各種の動作プログラムが記憶されているＲＯＭ３２と、制御ユニット３１の動作領域等として使用されるＲＡＭ３３と、携帯電話２から受信したデータ等の各種データを記憶可能なＨＤＤ３４と、ＨＤＤ３４の動作を制御するＨＤＤ制御回路３５と、携帯電話２等との各種データ送受信を行うためのインタフェイスとして機能する通信Ｉ／Ｆ３６とを備える。この通信Ｉ／Ｆ３６には、USB（universal serial bus）やBluetooth（登録商標）等、携帯電話２との間でデータ通信が可能なインタフェイスの全てが含まれるものとする。
【００４８】
制御ユニット３１は、通信部（通信手段）３１１、データ変換部（データ変換手段）３１２、集計部（集計手段）３１３、画像判別部（画像判別手段）３１４及び制御部３１５を備えている。
【００４９】
通信部３１１は、携帯電話２のデータ送受信部２２１から画像データや、画像データに付随する画像データ読込日時データ等を受信する。通信部３１１は、データ変換部３１２によって変換された文字データに、予め登録されている所定の文字又は記号に対応するデータが含まれていない場合に、通信部３１１から携帯電話２に対してエラーメッセージを送信させる処理等も行う。この文字又は記号は、例えば、「合計」「円」「￥」等であり、上記処理によって、レシートに記載されている数字を携帯電話２の画像読取部２１で読み取ることによって、サーバ３においては、かかる数字を、金額を示す数字データとして扱うことを許可するようになっている。
【００５０】
データ変換部３１２は、ＯＣＲ（Optical Character Reader）機能等を備え、通信部３１１が携帯電話２から受信した画像データ（第１画像読取位置で読み取られた画像のデータ）を文字データに変換する。
【００５１】
集計部３１３は、データ変換部３１２によって変換された文字データに含まれる数字データを集計するものである。さらに、集計部３１３は、予め登録されている所定の文字又は記号のデータを保有しており、データ変換部３１２によって変換された文字データに当該所定の記号が含まれるかを判断し、所定の記号が含まれる場合には、この記号に続く数字データを抽出して集計部３１３に集計する。
【００５２】
画像判別部３１４は、予め登録された複数の画像のデータを保有しており、通信部３１１が携帯電話２のデータ送受信部２２１から受信した第２画像読取位置の画像のデータが、予め登録されている複数の画像のデータのいずれに一致するかを、いわゆるパターンマッチング機能等により判別するものである。この複数の画像のデータは、例えば、店舗名や法人名を示す文字の形状やロゴ、マークを示すもの等であり、画像判別部３１４の上記判別によって、店舗等で受け取ったレシートに記載されている店舗名や法人名を示す文字等を、携帯電話２の画像読取部２１で読み取ると、サーバ３において、店舗名や法人名を識別できるようになっている。
【００５３】
なお、画像判別部３１４は、上記複数の画像データを画像判別部３１４で記憶する構成の他、ＨＤＤ３４やＲＯＭ３２、ＲＡＭ３３等の他の記憶装置に上記複数の画像データを記憶させるようにしてもよい。この場合は、上記複数の画像データを記憶させた記憶装置も、請求項の画像判別手段として機能することになる。さらに、画像判別部３１４は、通信部３１１が携帯電話２のデータ送受信部２２１から受信した画像読取部２１の第２画像読取位置で読み取られた画像のデータが、予め登録されている複数の画像のデータのいずれにも一致しないと判別した場合、この画像データを判別対象として画像判別部３１４に新規登録させる処理も行う。制御部３１５は、サーバ３各部の動作を制御するものである。
【００５４】
なお、制御ユニット３１は、通信部３１１、データ変換部３１２、集計部３１３、画像判別部３１４及び制御部３１５のそれぞれが個別に回路等で構成されていてもよいし、また、ＲＯＭ３２又はＨＤＤ３４等に記憶されている動作プログラムに従って、ＣＰＵが通信部３１１、データ変換部３１２、集計部３１３、画像判別部３１４及び制御部３１５として動作する構成としてもよい。
【００５５】
次に、データ処理システム１によるデータ集計処理について説明する。図２はデータ処理システム１によるデータ集計処理の概略を示すフローチャートである。ユーザが、携帯電話２の画像読取部２１で、店舗等で受け取ったレシートの金額部分を読み取らせる操作を行い、画像読取部２１によって当該金額部分の画像が読み取られると（Ｋ１）、データ送受信部２２１は、通信Ｉ／Ｆ２６を介して当該画像データをサーバ３側に送信する（Ｋ２）。
【００５６】
サーバ３の通信部３１１が、通信Ｉ／Ｆ３６を介して上記画像データを受信すると（ＳＶ１）、データ変換部３１２が当該画像データを文字データに変換する（ＳＶ２）。そして、データ変換部３１２によって変換された文字データに含まれる数字データを集計部３１３が集計し（ＳＶ３）、この集計後には、通信部３１１が集計完了メッセージを通信Ｉ／Ｆ３６を介して携帯電話２に送信する（ＳＶ４）。
【００５７】
携帯電話２のデータ送受信部２２１が上記集計完了メッセージをサーバ３から受信すると（Ｋ３）、制御部２２３は表示部２７に当該集計完了メッセージを表示させる（Ｋ４）。
【００５８】
上記データ処理システム１によるデータ集計処理について詳細に説明する。図３はデータ処理システム１によるデータ集計処理の詳細を示すフローチャート、図４は携帯電話２の画像読取部２１の読取対象となるレシートの一例を示す図、図５（ａ）は携帯電話２の表示部２７を示す図、（ｂ）は表示部２７の表示例を示す図であり、レシートを画像読取部２１で読み取らせ、第１画像読取位置に金額部分を合わせ、第２画像読取位置に店舗のマークを合わせた状態を示す図、図６は確認メッセージ表示画面の一例を示す図、図７は集計完了メッセージ表示画面の一例を示す図である。
【００５９】
ユーザによる操作で、例えば、図４に示すレシートを読取対象として、携帯電話２の画像読取部２１の第１画像読取位置に金額を記す部分を合わせ、第２画像読取位置に店舗マークを合わせて、このレシートが画像読取部２１に読み取られると（Ｋ２１）、今回の画像読取を行った日時が日時記憶部２２２に登録される（Ｋ２２）。なお、第１及び第２画像読取位置における各画像読取時刻が異なる場合は、遅い方の時刻が日時記憶部２２２によって登録されるようにする等の処理を行う。
【００６０】
この画像読取部２１の第１画像読取位置とは、読取対象部分が表示部２７内の下部に表示される矩形部２７１（図５（ａ））の中にくるように、読取対象部分に対する携帯電話２の画像読取部２１の位置を設定した場合における画像読取部２１の読取位置をいう。また、第２画像読取位置とは、読取対象部分が表示部２７内の上部に表示される矩形部２７２（図５（ａ））の中にくるように、読取対象部分に対する携帯電話２の画像読取部２１の位置を設定した場合における画像読取部２１の読取位置をいう。
【００６１】
なお、画像読取部２１における第１及び第２画像読取位置は、その位置を適宜変更して設定可能である（表示部２７の画面に表示されるどの位置に設定することも可能であり、例えば、互いに同じ位置に設定することも、画面全体に設定することも可能である）。図４に示すレシートに記載されている合計金額表示部分及び店舗マークを、それぞれ画像読取部２１の第１及び第２画像読取位置に合わせた状態での表示部２７の表示は、図５（ｂ）に示すようになる。
【００６２】
上記の店舗マークと合計金額表示部分は、第１及び第２画像読取位置において同時に読み取らせる必要はなく、個別に各画像読取位置に合わせるようにし、それぞれの画像を個別に読み取り可能となるように画像読取部２１を構成してもよい。そのためには、例えば、ユーザが操作部２５を操作することにより、画像読取部２１によって、それぞれの画像の読み取りが別個に行われる構成としてもよい。
【００６３】
そして、画像読取部２１が第１及び第２画像読取位置で読み取った各画像のデータは、各々別個の画像として、データ送受信部２２１がサーバ３に対して送信する（Ｋ２３）。
【００６４】
この第１及び第２画像読取位置で読み取った各画像のデータを、通信部３１１で受信したサーバ３では（ＳＶ２１）、第１画像読取位置で読み取った画像データをデータ変換部３１２が文字データに変換する（ＳＶ２２）。そして、通信部３１１は、第１画像読取位置の画像データを変換した後の文字データに所定の記号等（上述した「合計」「円」「￥」等）、が有るか否かを判断する（ＳＶ２３）。ここで、当該変換後の文字データに所定の記号が含まれていない場合は（ＳＶ２３でＮＯ）、通信部３１１は、携帯電話２に、金額を示す数字データを確認できない旨等からなるエラーメッセージを送信させる（ＳＶ２４）。
【００６５】
このエラーメッセージを受信した携帯電話２では（Ｋ２４）、制御部２２３が表示部２７に当該エラーメッセージを表示させる（Ｋ２５）。これは、画像読取部２１に読み込ませた画像が、金額を示す数字データとして認識されなかったことをユーザに認識させ、操作部２５から手動で新たな数字データを入力することを促すものである。
【００６６】
ユーザが表示部２７に表示された上記エラーメッセージを見て、ユーザによる操作で操作部２５から手動で新たな数字データが入力された場合は（Ｋ２６でＹＥＳ）、データ送受信部２２１は、サーバ３に対して、手動入力された当該文字データを送信する（Ｋ２７）。なお、ユーザによって操作部２５から手動で新たな数字データが入力されなかった場合は（Ｋ２６でＮＯ）、処理は終了する。
【００６７】
サーバ３は、通信部３１１が携帯電話２から上記手動入力された文字データを受信すると（ＳＶ２５）、通信部３１１が、携帯電話２から受信した文字データの内容と、集計対象とするデータが当該内容でよいかの確認メッセージ等とからなる確認メッセージを携帯電話２側に送信する（ＳＶ２６）。
【００６８】
携帯電話２は、データ送受信部２２１がサーバ３から上記確認メッセージを受信すると（Ｋ２８）、制御部２２３が当該確認メッセージの内容を、例えば、図６に示す表示画面２７５のようにして表示部２７に表示させる（Ｋ２９）。この表示部２７に表示された確認メッセージ内容を見たユーザにより、操作部２５の操作で表示画面２７５のcancelボタン２７５１が押下され、文字データが手動で入力されてデータ修正された場合は（Ｋ３０でＹＥＳ）、Ｋ２６乃至Ｋ２９の処理が繰り返される。ユーザの操作部２５の操作により表示画面２７５のOKボタン２７５２が押下され、データ修正がされなかった場合は（Ｋ３０でＮＯ）、データ送受信部２２１がサーバ３に集計指示を送信する（Ｋ３１）。
【００６９】
サーバ３は、通信部３１１が上記集計指示を受信すると（ＳＶ２７）、ＳＶ２１の処理において携帯電話２から受信していた画像読取部２１の第２画像読取位置の画像のデータが、画像判別部３１４に予め登録されている複数の画像のデータのいずれに一致するかを画像判別部３１４が判別する（ＳＶ２８）。上述したように、この複数の画像のデータは、例えば、店舗名や法人名を示す文字の形状やロゴ、マークを示すもの等であるため、画像判別部３１４の当該判別処理によって、店舗等で受け取ったレシートに記載されている店舗名や法人名が識別される。
【００７０】
ここで、画像判別部３１４によって、第２画像読取位置の画像のデータが、予め登録されている複数の画像のデータのいずれかに一致しないと判別された場合は（ＳＶ２８でＮＯ）、当該第２画像読取位置の画像のデータが新たな画像データとして画像判別部３１４に登録される（ＳＶ２９）。
【００７１】
上記ＳＶ２８の判別処理で、第２画像読取位置の画像のデータが、予め登録されている複数の画像のデータのいずれかに一致すると判別された場合（ＳＶ２８でＹＥＳ）、又は上記新規登録処理（ＳＶ２９）の後、制御部３１５は、携帯電話２から受信した文字データに含まれる数字データ（金額を示す数字データ）に、判別された画像（すなわち、各画像に関連付けて記憶されている店舗名や法人名）、及び、画像が読み取られた日時等のデータを関連付けてＨＤＤ３４に保存する（ＳＶ３０）。この後、集計部３１３は、今回入力された数字データと、それまでに入力されている数字データとを累積計算して総和を算出することにより、数字データを集計する（ＳＶ３１）。この集計は、数字データに関連付けられている上記店舗名や法人名、日時データに関わらず全ての数字データの総和を算出してもよいし、各店舗名や法人名又は日時データ別に総和を算出してもよいし、或いは、これら両方の算出を行うようにしてもよい。
【００７２】
上記数字データの集計後、通信部３１１が、数字データの集計が完了したことを示す集計完了メッセージを携帯電話２に送信する（ＳＶ３２）。携帯電話２は、データ送受信部２２１がこの集計完了メッセージを受信すると（Ｋ３２）、制御部２２３が、例えば、図７に示す表示画面２７８により表示部２７に当該集計完了メッセージを表示させて（Ｋ３３）、ユーザに集計完了を認識させた後、処理が終了する。
【００７３】
（第２実施形態）
次に、データ処理システムの第２実施形態を説明する。図８は第２実施形態に係るデータ処理システム１０の概略構成を示すブロック図、図９は第２実施形態に係るデータ処理システム１０によるデータ集計処理の詳細を示すフローチャートである。なお、図８及び図９において、第１実施形態と同様の構成及び処理については同符号を付して説明を省略する。
【００７４】
第２実施形態に係るデータ処理システム１０は、第１実施形態に係るデータ処理システム１と同様に携帯電話２及びサーバ３を備えるが、第１実施形態に係るデータ処理システム１でサーバ３の制御ユニット３１に備えられていたデータ変換部３１２及び画像判別部３１４が、携帯電話２の制御ユニット５０の方に、データ変換部（データ変換手段）５０１及び画像判別部（画像判別手段）５０２として設けられていることを特徴とする。よって、第１実施形態で説明した第１画像読取位置の画像データのデータ変換処理、及び第２画像読取位置の画像データの判別処理は、携帯電話２において行われる。以下に、データ処理システム１０によるデータ集計処理を説明する。
【００７５】
データ処理システム１０では、携帯電話２は、画像読取部２１による画像読取後（Ｋ２１，Ｋ２２）、第１画像読取位置の画像データのデータ変換処理をデータ変換部５０１が実行し（Ｋ４０）、第１画像読取位置の画像データを変換した後の文字データに所定の記号等（上述した「合計」「円」「￥」等）が有るか否かの判断は制御部２２３が行う（Ｋ４１）。この後、Ｋ２５乃至Ｋ３０の処理を経た後、画像判別部５０２は、第２画像読取位置の画像のデータが、画像判別部５０２に予め登録されている複数の画像のデータのいずれに一致するかの判別処理を実行する（Ｋ４２）。そして、第２画像読取位置の画像のデータが、画像判別部５０２に予め登録されている複数の画像のデータのいずれにも一致しない場合は（Ｋ４２でＮＯ）、当該第２画像読取位置の画像のデータが新たな画像データとして画像判別部５０２に登録される（Ｋ４３）。
【００７６】
Ｋ４２又はＫ４３の処理後、データ送受信部２２１が、データ変換部５０１によって変換された文字データに含まれる数字データに、判別された画像（すなわち、各画像に関連付けて記憶されている店舗名や法人名）、及び、画像が読み取られた日時等のデータを関連付けて、サーバ３に対して送信する（Ｋ４４）。
【００７７】
サーバ３は、通信部３１１が上記各種データを受信すると（ＳＶ４１）、制御部３１５がこの各種データをＨＤＤ３４に保存し（ＳＶ３０）、集計部３１３は、今回入力された数字データと、それまでに入力されている数字データとを累積計算して総和を算出して、数字データを集計させる（ＳＶ３１）。
【００７８】
（携帯電話の他の実施形態）
次に、携帯電話の他の実施形態を説明する。図１０は他の実施形態に係る携帯電話２００の概略構成を示すブロック図、図１１は他の実施形態に係る携帯電話２００によるデータ集計処理の詳細を示すフローチャートである。なお、図１０及び図１１において、第１及び第２実施形態と同様の構成及び処理については同符号を付して説明を省略する。
【００７９】
携帯電話２００は、上述した携帯電話２０の構成に加えて、更に集計部（集計手段）６０１及びＨＤＤ２９を備え、サーバへのデータ送信及びサーバでのデータ処理を必要とすることなく、データ集計処理を行うことを特徴とする。よって、第１実施形態で説明した第１画像読取位置の画像データのデータ変換処理、及び第２画像読取位置の画像データの判別処理に加えて、数字データの集計処理も携帯電話２００において行われる。以下に、携帯電話２００によるデータ集計処理を説明する。
【００８０】
携帯電話２００は、上記データ処理処理システム１０の携帯電話２０と同様のＫ２１乃至Ｋ４３の処理を行った後、制御部２２３が、データ変換部５０１によって変換された文字データに含まれる数字データに関連付けて、判別された画像（すなわち、各画像に関連付けて記憶されている店舗名や法人名）、及び、画像が読み取られた日時等のデータをＨＤＤ２９に保存する（Ｋ５０）。そして、集計部６０１が、今回入力された数字データと、それまでに入力されている数字データとを累積計算して総和を算出して、数字データを集計するようになっている（Ｋ５１）。
【００８１】
なお、本発明は上記実施の形態の構成に限られず種々の変形が可能である。例えば、上記実施形態では、携帯電話２，２０，２００、サーバ３，３０、データ処理システム１，１０の構成及び処理を図１乃至図１１に示しているが、これらの構成及び処理はあくまでも一例であり、本発明に係るデータ処理システム１，１０、携帯電話２，２００及びサーバ３，３０の構成及び処理は上記に限定されるものではない。
【００８２】
例えば、上記実施形態では、本発明に係る画像読取装置を携帯電話２，２０，２００として説明しているが、本発明に係る画像読取装置は、データ通信機能を備えたコピー機や、或いは、ファクス、コピー、プリンタ機能を兼ね備えた所謂複合機等であってもよく、この場合、コピー機や複合機に備えられたスキャナが上記画像読取部２１として機能し、通信Ｉ／Ｆを介してサーバ３，３０との間で、必要なデータ通信が行われる。このように、画像読取装置をコピー機や複合機で構成した場合は、サーバ３，３０とのデータ通信ログや、コピー機や複合機で集計した集計結果を、コピー機や複合機に設けられている画像形成部で印刷可能となる。
【図面の簡単な説明】
【００８３】
【図１】本発明に係るデータ処理システムの概略構成を示すブロック図である。
【図２】データ処理システムによるデータ集計処理の概略を示すフローチャートである。
【図３】データ処理システムによるデータ集計処理の詳細を示すフローチャートである。
【図４】携帯電話の画像読取装置の読取対象となるレシートの一例を示す図である。
【図５】（ａ）は携帯電話の表示部を示す図、（ｂ）は表示部の表示例を示す図であり、レシートを画像読取装置で読み取らせ、第１画像読取位置に金額部分を合わせ、第２画像読取位置に店舗のマークを合わせた状態を示す図である。
【図６】確認メッセージ表示画面の一例を示す図である。
【図７】集計完了メッセージ表示画面の一例を示す図である。
【図８】第２実施形態に係るデータ処理システムの概略構成を示すブロック図である。
【図９】第２実施形態に係るデータ処理システムによるデータ集計処理の詳細を示すフローチャートである。
【図１０】他の実施形態に係る携帯電話の概略構成を示すブロック図である。
【図１１】他の実施形態に係る携帯電話によるデータ集計処理の詳細を示すフローチャートである。
【符号の説明】
【００８４】
１，１０  データ処理システム
２，２０，２００  携帯電話
３，３０  サーバ
１０    データ処理システム
２１    画像読取部
２２    制御ユニット
２５    操作部
２７    表示部
２８    電話通信部
３１    制御ユニット
３５    制御回路
５０    制御ユニット
２２１  データ送受信部
２２２  日時記憶部
２２３  制御部
２７５  表示画面
２７８  表示画面
３０５  制御部
３１１  通信部
３１２  データ変換部
３１３  集計部
３１４  画像判別部
３１５  制御部
５０１  データ変換部
５０２  画像判別部
６０１  集計部
【図１】
2005150957.tif 000003
【図２】
2005150957.tif 000004
【図３】
2005150957.tif 000005
【図４】
2005150957.tif 000006
【図５】
2005150957.tif 000007
【図６】
2005150957.tif 000008
【図７】
2005150957.tif 000009
【図８】
2005150957.tif 000010
【図９】
2005150957.tif 000011
【図１０】
2005150957.tif 000012
【図１１】
2005150957.tif 000013